(57)【要約】【課題】モーターポンプの空回転を防止することによりモーターポンプ部品の損傷を防止し、非自吸式モーターポンプを使用しても多機能水タンクの水を利用して自吸できるようにすること。【解決手段】モーターポンプ１００のポンプ出口１１２と連通される一面に多機能水タンク入口１２１を形成し、多機能水タンク入口１２１の反対面に多機能水タンク出口１２２を形成し、上部にエアベント１２５と連通する多機能水タンク上部ホール１２３を構成し、下部に圧弁１３０と連通する多機能水タンク下部ホール１２４を構成する。【選択図】図２
2008260012.tif 000002
【特許請求の範囲】
【請求項１】
微細気泡発生装置であって、
モーターポンプに連結されたポンプ出口と連通されるように多機能水タンクを形成し、
前記多機能水タンクの多機能水タンク下部ホールを圧弁と連通されるように形成し、
前記圧弁はモーターポンプの誘い水ホールと連通されるように形成し、
前記多機能水タンク上部ホールはエアベントと連通されるように構成したことを特徴とする、
微細気泡発生装置。
【請求項２】
前記モーターポンプのポンプヘッドとポンプ入口の間にソレノイド弁を設置して構成した空気吸入口をさらに具備することを特徴とする、請求項１に記載の微細気泡発生装置。
【請求項３】
前記モーターポンプに連結されて水を吸いこむ入水路を主入水路と補助入水路で形成し、前記補助入水路に流量感知センサーを設置したことを特徴とする、請求項１または請求項２に記載の微細気泡発生装置。
【請求項４】
前記モーターポンプの出水路に圧力センサーをさらに具備したことを特徴とする、請求項１に記載の微細気泡発生装置。
【請求項５】
前記多機能水タンクが中心線を基準として一定角度で傾いて形成されたことを特徴とする、請求項１に記載の微細気泡発生装置。
【請求項６】
多機能水タンクを具備した微細気泡発生装置であって、
モーターポンプのポンプ出口と連通される一面に多機能水タンク入口を形成し、
前記多機能水タンク入口の反対面に多機能水タンク出口を形成し、
上部にエアベントと連通する多機能水タンク上部ホールを構成し、
下部に圧弁と連通する多機能水タック下部ホールを構成したことを特徴とする、
微細気泡発生装置。
【請求項７】
出水ノズルを具備した微細気泡発生装置であって、
ノズルカバーにノズルカバー中央ホール(上)を形成し、
前記ノズルカバー中央ホール(上)と一体化してノズルカバー中央ホール(下)を形成し、
前記ノズルカバー中央ホール(下)の上部にフックホームを具備し、
メッシュ支持台(下)にフックを具備し、
前記ノズルカバー中央ホール(上)、前記ノズルカバー中央ホール(下)及び前記メッシュ体を一体化したことを特徴とする、
微細気泡発生装置。
【請求項８】
圧弁を具備した微細気泡発生装置であって、
前記圧弁の圧弁入口に入口オリフィスを形成し、
入口オリフィスの側面に多数個の入口出水ホールを形成し、
低圧で入口オリフィスを遮断しているシートを具備し、
前記シートを支持しながらシートガイドホームを具備しているシートガイドを形成し、
一端はシートガイドを支持して、他端は圧弁出口を支持しているスプリングを具備し、
モーターポンプの圧力が増加する場合、シートにより遮断されるテーパー形状の出口オリフィスを具備したことを特徴とする、
微細気泡発生装置。
【発明の詳細な説明】
【技術分野】
【０００１】
本発明は、微細気泡発生装置に関する。
【背景技術】
【０００２】
図１は、従来の非自吸式モーターポンプを利用した気泡発生装置の構造図である。
【０００３】
特許文献１に開示された従来の微細気泡発生装置は、入水ノズル１０１と出水ノズル１１８を浴槽水中に浸した後モーターポンプ１００を稼動して洗浄水を循環させ、ポンプ入口側に空気吸入口１０９を構成して洗浄水とともに空気を流入し、モーターポンプ１００に流入された洗浄水と空気をエアベント１２５が設置された水タンク１２６を経て出水ノズル１１８に設置された圧力板を通じて高い圧力を形成してメッシュ体に強く衝突させて微細気泡を発生させる。
【０００４】
従来の微細気泡発生装置は、図１に示したように、モーターポンプ１００の入水ホース１０２には入水ノズル１０１を具備し、入水ノズル１０１の内部には吸入時に異物を除去する異物除去網を具備し、ポンプ出口を通じて出水路１１５後端にエアベント１２５が装着された水タンク１２６を構成して使用した。
【０００５】
従来の技術のように構成して微細気泡発生機を使用する場合、浴槽の水位がモーターポンプ１００より低い位置にある場合、入水ホース１０２と入水ノズル１０１に空気が満ちて浴槽の洗浄水をポンプヘッド１１３で吸い込むことができないので、人為的に洗浄水を入水ノズル１０１を通じてポンプヘッド１１３に注入しなければならない。
【０００６】
また、空気吸入口１０９に別の遮断装置がなくて人為的に洗浄水を入れ込んでも持続的に空気吸入口１０９に空気が流入されるので、モーターポンプの水圧を形成するに長時間が必要であった。
【０００７】
上述のようにモーターポンプ１００の水圧を形成して洗浄水を循環して使用する場合にも、洗浄水を別のエアベント１２５が装着された水タンク１２６と出水ノズル１１８を通じて微細気泡を作って浴槽に吐出しなければならない。この時、水タンク１２６では洗浄水と混合されない空気を大気中に排出させるためにエアベント１２５を水タンク１２６の上部に装着して構成した。
【０００８】
これによって、微細気泡発生装置の内部空間をたくさん占めて空間活用に制約があった。
【０００９】
また、微細気泡発生装置を使用中、浴槽内部の異物、ほこり、肌角質などにより出水ノズル１１８に具備されたメッシュ体が塞がってモーターポンプ１００に過負荷がかかり、出水口１１５上の圧力が増加して水タンク１２６が破損されるか、出水ホース１１７が裂けて微細気泡発生装置内部に洗浄水が漏洩されて電線が合線されるなどの危ない状況が発生できる。
【００１０】
また、微細気泡発生装置の使用中、メッシュ体が塞がって交換する場合、ノ−ズル基体、ノズルカバー、メッシュ体、圧力板が別に構成されているので、メッシュ体の交換が困難であった。
【００１１】
【特許文献１】大韓民国特許公開２００３−００１０６８５号公報
【発明の開示】
【発明が解決しようとする課題】
【００１２】
したがって、本発明は上述したような従来技術の問題点を解決するためになされたもので、その目的は、非自吸式モーターポンプを使いながら自吸できるように助ける多機能水タンク１２０を構成し、微細気泡発生装置の使用中、流路の圧力を感知することができる流量感知センサー１０６と圧力センサー１１６を具備して構成し、ノ−ズル基体１４１、ノズルカバー１４２及びメッシュ体１５３が一体化された出水ノズル１１８を構成して提供することで、デザインの小型化及び重量の軽量化を図り、メッシュ体１５３が塞がった場合、動作を中止させて安全性を確保し、使用者にメッシュ体１５３の交換時期を知らせて容易にメッシュ体１５３を交換できるようにして、元気で快適なお風呂と足洗いを楽しむようにする。
【００１３】
本発明の他の目的は、産業用微細気泡発生装置でも静かで安全に微細気泡発生装置が使用できるようにすることである。
【課題を解決するための手段】
【００１４】
前記課題を解決するために本発明は、微細気泡発生装置であって、モーターポンプ１００に連結されたポンプ出口１１２と連通されるように多機能水タンク１２０を形成し、前記多機能水タンク１２０の多機能水タンク下部ホール１２４を圧弁１３０と連通形成し、前記圧弁１３０はモーターポンプ１００の誘い水ホール１１４と連通形成し、前記多機能水タンク上部ホール１２３はエアベント１２５と連通して構成した微細気泡発生装置を提供する。
【００１５】
前記微細気泡発生装置は、前記モーターポンプ１００のポンプヘッド１１３とポンプ入口１１１との間にソレノイド弁１１０を設置して構成した空気吸入口１０９をさらに具備することができる。
【００１６】
前記微細気泡発生装置は、前記モーターポンプ１００に連結されて水を吸いこむ入水路１０３を主入水路１０４と補助入水路１０５で形成し、前記補助入水路１０５に流量感知センサー１０６を設置したことであってもよい。
【００１７】
前記微細気泡発生装置は、前記モーターポンプ１００の出水路１１５に圧力センサー１１６をさらに具備することができる。
【００１８】
前記微細気泡発生装置は、前記多機能水タンク１２０を中心線を基準として一定角度で傾いて形成してもよい。
【００１９】
また、本発明は、多機能水タンク１２０を具備した微細気泡発生装置であって、モーターポンプ１００のポンプ出口１１２と連通される一面に多機能水タンク入口１２１を形成し、前記多機能水タンク入口１２１の反対面に多機能水タンク出口１２２を形成し、上部にエアベント１２５と連通する多機能水タンク上部ホール１２３を構成し、下部に圧弁１３０と連通する多機能水タンク下部ホール１２４を構成した微細気泡発生装置を提供する。
【００２０】
また、本発明は、出水ノズル１１８を具備した微細気泡発生装置であって、ノズルカバー１４２にノズルカバー中央ホール(上)１４３を形成し、前記ノズルカバー中央ホール(上)１４３と一体化してノズルカバー中央ホール(下)１４４を形成し、前記ノズルカバー中央ホール(下)１４４の上部にフックホーム１４５を具備し、メッシュ支持台(の下)１５１にフック１５７を具備し、前記ノズルカバー中央ホール(上)１４３、前記ノズルカバー中央ホール(下)１４４及び前記メッシュ体１５３を一体化した微細気泡発生装置を提供する。
【００２１】
また、本発明は、圧弁１３０を具備した微細気泡発生装置であって、前記圧弁１３０の圧弁入口１３１に入口オリフィス１３２を形成し、入口オリフィス１３２の側面に多数個の入口出水ホール１３３を形成し、低圧で入口オリフィス１３２を遮断しているシート１３４を具備し、前記シート１３４を支持しながらシートガイドホーム１３９を具備しているシートガイド１３５を形成し、一端はシートガイド１３５を支持して他端は圧弁出口１３８を支持しているスプリング１３７を具備し、モーターポンプ１００の圧力が増加する場合、シート１３４により遮断されるテーパー形状の出口オリフィス１３６を具備した微細気泡発生装置を提供する。
【発明の効果】
【００２２】
本発明によれば、非自吸式モーターポンプを使用した微細気泡発生装置を使用する時、使用中に入水ノズル１０１に空気が流入されるとモーターポンプ１００が停止するようにしてモーターポンプの空回転を防止することによりモーターポンプ部品の損傷を防止し、非自吸式モーターポンプ１００を使用しても多機能水タンク１２０の水を利用して自吸されるようにすることにより、別の誘い水がなしに便利に使用できる。
【００２３】
また、別の水タンク１２６がなくても多機能水タンク１２０を利用して微細気泡発生装置を構成することにより、製品の空間活用度が向上され、原価が節減されるだけではなく、ノズルカバー１４２と一体化されたメッシュ体１５３を提供することにより、メッシュ体１５３を便利に交換することができる。
【００２４】
また、モーターポンプ１００の出水路１１５と出水ノズル１１８の間に圧力センサー１１６を装着することにより、メッシュ体１５３が塞がるか、モーターポンプ１００の異常により過度な圧力が発生した場合、モーターポンプを停止して安全に使用できる微細気泡発生装置を提供することができる。
【発明を実施するための最良の形態】
【００２５】
以下、添付図面を参照して本発明の好適な実施形態について詳細に説明する。
【００２６】
図２及び図３は、本発明による微細気泡発生装置の構成図である。
【００２７】
本発明は、図２及び図３の構成図のように、モーターポンプ１００の入水路１０３には入水ノズル１０１と、入水ホース１０２を具備し、入水ノズル１０１の内部には洗浄水の入水時に異物を除去するメッシュを具備して構成する。
【００２８】
モーターポンプ１００の入水路１０３と入水ホース１０２の間にはチェック弁１１９を構成し、入水路１０３、主入水路１０４及び補助入水路１０５内に流入された洗浄水が外部に流れ出すことを防止できるように構成する。これは、モーターポンプ１００が動作時に自吸するにあって役に立つようにするためである。モーターポンプ１００の入水路１０３は主入水路１０４と補助入水路１０５に分けて構成し、補助入水路１０５には流量感知センサー１０６を装着して構成する。
【００２９】
また、入水路１０３に洗浄水が吸い込む場合と、使用中に使用者の不注意によって入水ノズル１０１が浴槽の外部に突き出されて大気中に抜けて入水ノズル１０１に空気が流入される場合と、を区分するように構成する。
【００３０】
入水ノズル１０１に洗浄水が流入される場合、洗浄水が空気より粘性が高いから流量感知センサー１０６のパルスが洗浄水に比べて著しく落ちるようになるが、このようなパルスの差を利用して入水ノズル１０１に洗浄水が流入されるか、または空気が流入されるかを区分する。これを利用して入水ノズル１０１に空気が流入されることを感知して微細気泡発生装置の使用を停止させるように構成する。
【００３１】
上述のように構成してモーターポンプ１００の空回転を防止することにより、モーターポンプ１００の内部部品の摩耗を防止できる。
【００３２】
また、入/出水ホース１０２、１１７と入/出水路１０３、１１５との連結はカップリング１１９で構成して、微細気泡発生装置を使用した後に製品を保管する時、ホースと製品基体を手軽く分離して使うようにする。
【００３３】
上述のように吸入された洗浄水はポンプ入口１１１を通じてポンプヘッド１１３に流入される。ポンプ入口１１１とポンプヘッド１１３の間には圧弁１３０と連通される誘い水ホール１１４を構成し、空気吸入口１０９はソレノイド弁１１０と連通されるように構成し、温度センサーホール１０７には温度センサー１０８を付着して構成する。
【００３４】
ポンプ出口１１２側は多機能水タンク１２０と連通するように構成し、多機能水タンク１２０は、ポンプ出口１１２と連通される多機能水タンク入口１２１、上部にエアベント１２５と連通される多機能水タンク上部ホール１２３、下部に圧弁１３０と連通される多機能水タンク下部ホール１２４、出水路１１５と連通される多機能水タンク出口１２２を具備して構成する。
【００３５】
出水路１１５は多機能水タンク出口１２２と連通して構成し、出水路１１５と出水ノズル１１７の間は“Ｔ”字配管を利用して一面は圧力センサー１１６を構成し、一面は出水ホース１１７と連通させて構成する。
【００３６】
圧力センサー１１６は、お風呂に入るとき出水ノズル１１８のメッシュ体１５３が塞がった場合、流路上の圧力が上昇するようになるが、これを感知して使用者に知らせると共にメッシュ体１５３の交換時期を知らせる。
【００３７】
出水ノズル１１８は、出水ホース１１７と連通して構成する。
【００３８】
上述のように構成した微細気泡発生装置を駆動させる場合、モーターポンプ１００が稼動すると、浴槽にある洗浄水は入水ノズル１０１を通じて吸入し始めて、吸入された洗浄水は入水ホース１０２と入水路１０３を通じて主入水路１０４と補助入水路１０５とポンプ入口１１１を通じてポンプヘッド１１３に流入される。この時、補助入水路１０５では洗浄水が正常的に吸入されるか、または空気が流入されたかを感知するように流量感知センサー１０６を装着して構成する。流量感知センサー１０６を入水路１０３側に構成する理由は、入水路１０３の圧力が出水路１１５の圧力に比べて低いため流量感知センサー１０６の損傷及びエラー率を最小化して使用できるからである。
【００３９】
上述のように洗浄数がポンプヘッドに流入される瞬間、空気吸入口１０９を通じて空気を流入させるが、空気の流入はソレノイド弁１１０を利用して空気吸入口１０９の開閉を制御するように構成する。
【００４０】
モーターポンプの初期駆動時にポンプヘッド１１３に空気が流入されると、モーターポンプ１００が圧力を作ることができないから、初期駆動時に数秒間ソレノイド弁１１０を閉めて真空状態を維持し、圧力が形成された以後にはソレノイド弁１１０を開いて空気が流入されて微細気泡が発生するように構成する。 
【００４１】
温度センサーホール１０７は、温度センサー１０８を付着して構成し、使用中の洗浄水の温度を感知して使用者に温度を表示する。
【００４２】
ポンプヘッド１１３に流入された洗浄水と空気は、ポンプ出口１１２を通じて多機能水タンク入口１２１にモーターポンプ圧力によって流入される。図４Ａ乃至図４Ｃのように、多機能水タンク入口１２１は多機能水タンク１２０の一面の下端部に構成し、多機能水タンク出口１２２は他の一面の上端部に構成し、また中心線に対して一定角度(陰角)を傾けて使用する。これは、モーターポンプ１００が駆動時に、図４Ａ乃至図４Ｃのように、多機能水タンク１２０に空気が浮び上がって集まる空間を確保するためである。
【００４３】
前記多機能水タンク１２０を傾く時には、多機能水タンク入口１２１の側方向が多機能水タンク出口１２２の側方向より上昇した状態で傾くことが望ましい。
【００４４】
また、モーターポンプの非駆動時にも多機能水タンク１２０に一定水位を維持することにより、常時洗浄水が多機能水タンク１２０に溜まるようにして、微細気泡発生装置を再駆動する場合、自ら吸入(自吸)するように構成する。
【００４５】
一方、自吸できる構成は、モーターポンプ１００を駆動させると、多機能水タンク１２０の一定量の洗浄水が多機能水タンク下部ホール１２４を通じて圧弁１３０に流入され、圧弁１３０の入口出水ホール１３３、シートガイドホーム１３９、出水オリフィス、ポンプの誘い水ホール１１４を通じてポンプヘッド１１３に洗浄水が流入される。モーターポンプが駆動しているのでこのような洗浄水の流れを反復しながら入水ノズル１０１側の浴槽の洗浄水を少しずつ吸いこんでその洗浄水がポンプヘッド１１３まで吸入されるようにする。
【００４６】
入水ノズル１０１側の洗浄水がポンプヘッド１１３まで吸入されると、ポンプ出口１１２以後の流路には一定以上の水圧が形成されるが、水圧が形成されると、圧弁１３０のシート１３４が水圧にいり押されて出口オリフィス１３６を塞がって圧弁１３０を通じて誘い水ホール１１４に洗浄水が流入されることを防止することにより、モーターポンプが真空状態になることを防止するように構成する。
【００４７】
多機能水タンク１２０に圧力が形成されると、洗浄水と空気が多機能水タンク出口１２２を通じて吐出されるが、吐出された洗浄水と空気は出水路１１５と出水ホース１１７を通じて出水ノズル１１８のノズル入口１４９に流入され、洗浄水と空気は圧力板１４６を通じて高い圧力を形成してメッシュ体１５３を通過じながら微細気泡が発生する。
【００４８】
このように構成した微細気泡発生装置を数回反復して使用する場合、浴槽の微細ほこり、異物、肌角質などによりメッシュ体１５３が塞がってメッシュ体を交換をしなければならない。
【００４９】
前記メッシュ体１５３の交換時にも交換を容易にするため、ノズル基体１４１の上部にノズル入口１４９を構成し、ノズル入口１４９の中央にスプリングを支持できるスプリング固定台１４８を構成し、スプリング固定台１４８の下部にノズルスプリング１４７を構成する。また、ノズルスプリング１４７の下部はスプリングガイドを具備した圧力板１４６を構成して連結し、圧力板１４６の下部には多数個のメッシュ支持台１５５を構成し、メッシュ支持台１５５の間にはメッシュ１５２を構成し、メッシュ体１５３の下端部にはフック１５７を具備している下側メッシュ支持台１５５を構成する。
【００５０】
前記メッシュ体１５３は、各々融着して一体化して構成する。
【００５１】
ノズルカバー中央ホール(下)１４４は、一体化されたメッシュ体１５３のフック１５７と回転させて連結できるフックホーム１４５を具備し、メッシュ体１５３を通じて吐出される微細気泡を適当な圧力で分配させるように側面と下部面に圧力分配ホール１５０を具備して構成する。
【００５２】
また、ノズルカバー中央ホール(下)１４４は、ノズルカバー中央ホール(上)１４３と噛み合って一体化できるように構成する。ノズルカバー１４２はノズルカバー中央ホール(上)１４３を具備して一体化させて構成する。
【００５３】
また、ノズルカバー１４２とノズル基体１４１はお互いに螺合されるように、ノズルカバー１４２は雌ねじで、ノズル基体１４１は雄ねじで構成する。
【００５４】
上述のように構成して使用する場合、メッシュ体１５２が異物により塞がってメッシュ体１５２を交換する必要がある場合、ノズルカバー１４２を回転させてノズル基体１４１から分離させると、ノズルカバー１４２、ノズルカバー中央ホール(上、下)１４３、１４４、メッシュ体１５３が一体化されているので、ノズルカバー１４２に付いてノズル基体１４１から分離される。
【００５５】
このようにノズル基体１４１とノズルカバー１４２を分離した後、ノズルカバー中央ホール(下)のフックホーム１４５に固定されたメッシュ体１５３を回転させて分離してから交換するように構成する。
【図面の簡単な説明】
【００５６】
【図１】従来の微細気泡発生装置の流路構成図である。
【図２】本発明による微細気泡発生装置の流路構成図である。
【図３】本発明による微細気泡発生装置の流路構成図である。
【図４Ａ】本発明による多機能水タンクの構造図である。
【図４Ｂ】本発明による多機能水タンクの構造図である。
【図４Ｃ】本発明による多機能水タンクの構造図である。
【図５】本発明による圧弁の構造図である。
【図６】本発明による出水ノズルの構造図である。
【符号の説明】
【００５７】
１０  基板
１００  モーターポンプ
１０１  入水ノズル
１０２  入水ホース
１０３  入水路
１０４  主入水路
１０５  補助入水路
１０６  流量感知センサー
１０７  温度センサーホール
１０８  温度センサー
１０９  空気吸入口
１１０  ソレノイド弁
１１１  ポンプ入口
１１２  ポンプ出口
１１３  ポンプヘッド
１１４  誘い水ホール
１１５  出水路
１１６  圧力センサー
１１７  出水ホース
１１８  出水ノズル
１１９  チェック弁
１１９−１  カップリング
１２０  多機能水タンク
１２１  多機能水タンク入口
１２２  多機能水タンク出口
１２３  多機能水タンク上部ホール
１２４  多機能水タンク下部ホール
１２５  エアベント
１２６  水タンク
１３０  圧弁
１３１  圧弁入口
１３２  入口オリフィス
１３３  入口出水ホール
１３４  シート
１３５  シートガイド
１３６  出口オリフィス
１３７  スプリング
１３８  圧弁出口
１３９  シートガイドホーム
１４１  ノズル基体
１４２  ノズルカバー
１４３  ノズルカバー中央ホール(上)
１４４  ノズルカバー中央ホール(下)
１４５  フックホーム
１４６  圧力板
１４７  ノズルスプリング
１４８  ノズルスープリン固定台
１４９  ノズル入口
１５０  圧力分配ホール
１５１  メッシュ支持台(下)
１５２  メッシュ
１５３  メッシュ体
１５５  メッシュ支持台
１５７  フック
【図１】
2008260012.tif 000003
【図２】
2008260012.tif 000004
【図３】
2008260012.tif 000005
【図４Ａ】
2008260012.tif 000006
【図４Ｂ】
2008260012.tif 000007
【図４Ｃ】
2008260012.tif 000008
【図５】
2008260012.tif 000009
【図６】
2008260012.tif 000010